(57)【要約】【課題】センサを備えた照明装置において、ユーザの環境に適したセンサの検知範囲を設定することができる照明装置を提供することを目的とする。【解決手段】  光源と、被検知体との距離に応じた強度の信号を出力するセンサと、記憶部と、設定モードと点灯モードとを選択的に実行可能であって、設定モードでは、設定モード期間中においてセンサから出力される信号の強度に基づき、被検知体の近接の判定に用いるしきい値を決定し、しきい値を記憶部に記憶させ、点灯モードでは、センサから出力される信号の強度と、記憶部に記憶されているしきい値とを比較して被検知体の近接を判定し、その判定結果に基づき光源の点消灯動作を制御する制御部とを備える。【選択図】図３
2014199730.tif 000002
【特許請求の範囲】
【請求項１】
光源と、
被検知体との距離に応じた強度の信号を出力するセンサと、
記憶部と、
設定モードと点灯モードとを選択的に実行可能であって、設定モードでは、設定モード期間中において前記センサから出力される信号の強度に基づき、被検知体の近接の判定に用いるしきい値を決定し、当該しきい値を前記記憶部に記憶させ、点灯モードでは、前記センサから出力される信号の強度と、前記記憶部に記憶されているしきい値とを比較して被検知体の近接を判定し、その判定結果に基づき前記光源の点消灯動作を制御する制御部とを備える
ことを特徴とする照明装置。
【請求項２】
前記制御部は、前記センサから出力される信号のうち、予め定められた強度以上の信号の強度を用いて、被検知体の近接の判定に用いるしきい値を決定する
ことを特徴とする請求項１に記載の照明装置。
【請求項３】
前記設定モード開始時から所定時間内に、前記センサから予め定められた強度以上の信号が出力された場合、設定処理が成功したものと判定し、前記センサから予め定められた強度以上の信号が出力されない場合、設定処理が失敗したものと判定する判定部と、
前記判定部で判定した設定処理の成功または失敗を通知する通知部とを、さらに備える
ことを特徴とする請求項２に記載の照明装置。
【請求項４】
前記設定モードと、前記点灯モードとを切替えるスイッチを、さらに備える
ことを特徴とする請求項１に記載の照明装置。
【請求項５】
前記設定モードにおいて、被検知体の動作をガイドするガイド部を、さらに備える
ことを特徴とする請求項１に記載の照明装置。
【請求項６】
前記ガイド部は、前記センサに近接して配置され、前記センサにより被検知体を検知することが可能な範囲に向けて可視光を出射する
ことを特徴とする請求項５に記載の照明装置。
【請求項７】
光源と、
発光素子と受光素子とを有する反射型センサと、
記憶部と、
設定モードと点灯モードとを選択的に実行可能であって、設定モードでは、設定モード期間中において前記受光素子に受光される光の強度に基づき、前記発光素子から出力される光の強度と前記受光素子に受光される光の強度に関するしきい値との比に関する情報を決定し、当該情報を前記記憶部に記憶させ、点灯モードでは、前記記憶部に記憶されている前記情報と前記センサから出力される信号の強度とを用いて、被検知体の近接の検知を行ない、当該検知結果に基づき前記光源の点消灯動作を制御する制御部とを備える
ことを特徴とする照明装置。
【請求項８】
前記制御部は、
設定モードにおいて、前記受光素子に受光される光の強度に関するしきい値を固定値とし、前記発光素子から出力される光の強度を可変値とし、前記発光素子から出力される光の強度を変えることで前記情報を決定し、
点灯モードにおいて、前記記憶部に記憶されている光の強度で前記発光素子を発光させ、前記受光素子に受光される光の強度が前記しきい値以上である場合、被検知体が近接状態にあると判定し、前記受光素子に受光される光の強度が前記しきい値未満である場合、被検知体が近接状態にないと判定する
ことを特徴とする請求項７に記載の照明装置。
【請求項９】
前記制御部は、
設定モードにおいて、前記発光素子から出力される光の強度を固定値とし、前記受光素子に受光される光の強度に関するしきい値を可変値とし、受光素子に受光される光の強度に関するしきい値を変えることで前記情報を決定し、
点灯モードにおいて、前記受光素子に受光される光の強度が前記記憶部に記憶されているしきい値以上である場合、被検知体が近接状態にあると判定し、前記受光素子に受光される光の強度が前記記憶部に記憶されているしきい値未満である場合、被検知体が近接状態にないと判定する
ことを特徴とする請求項７に記載の照明装置。
【発明の詳細な説明】
【技術分野】
【０００１】
センサを備え、センサから出力される検知信号に基づき点消灯動作の制御を行なう照明装置に関する。
【背景技術】
【０００２】
この種の照明装置では、ユーザはセンサ部分に手をかざすことで、点消灯の切り替えを行なうことができる。しかし、照明装置が取り付けられる高さやユーザの身長等は、ユーザ毎に異なる。このため、ユーザが手をかざしても検知されず、点消灯の切り替えが行なわれない場合があった。また、センサ部分と床面や作業面との距離が短い場合、床面や作業面をユーザの手と誤って検知してしまう場合がある。この場合、ユーザが手をかざさなくとも勝手に点消灯の切り替えが行なわれてしまう。
【０００３】
このような問題を解決するため、図１３に示すような照明装置８００が知られている（特許文献１）。照明装置８００は、発光部８２０と、センサ８３０と、センサ８３０の検知範囲を切り替えるスイッチ８４０とを有する。スイッチ８４０は、センサ８３０の検知範囲を、例えば「５ｃｍ」「２０ｃｍ」というように段階的に切り替える。センサ８３０は、スイッチ８４０で切り替えられた検知範囲で動作する。照明装置８００は、センサ８３０から出力される検知信号に基づき、発光部８２０の点消灯の切り替えを行なう。
【先行技術文献】
【特許文献】
【０００４】
【特許文献１】特開２００４−２６５７３２
【発明の概要】
【発明が解決しようとする課題】
【０００５】
しかしながら、スイッチを用いてセンサの検知範囲を設定する上記従来の照明装置では、センサの検知範囲を段階的にしか設定することができず、ユーザの環境に適した検知範囲を設定できない場合がある。
また、上記従来の照明装置では、ユーザはスイッチを切り替える前に、手をかざす位置からセンサまでの距離を目測する必要がある。この目測を誤った場合、スイッチの切り替えにより設定した検知範囲も誤ったものになってしまう。
【０００６】
本発明は、上記の事情に鑑みなされたものであり、センサを備えた照明装置において、ユーザの環境に適した検知範囲を設定することができる照明装置を提供することを目的とする。
【課題を解決するための手段】
【０００７】
上記目的を達成するため、本発明の一態様である照明装置は、光源と、被検知体との距離に応じた強度の信号を出力するセンサと、記憶部と、設定モードと点灯モードとを選択的に実行可能であって、設定モードでは、設定モード期間中において前記センサから出力される信号の強度に基づき、被検知体の近接の判定に用いるしきい値を決定し、当該しきい値を前記記憶部に記憶させ、点灯モードでは、前記センサから出力される信号の強度と、前記記憶部に記憶されているしきい値とを比較して被検知体の近接を判定し、その判定結果に基づき前記光源の点消灯動作を制御する制御部とを備える構成とする。
【０００８】
また、本発明の別の態様として、前記制御部は、前記センサから出力される信号のうち、予め定められた強度以上の信号の強度を用いて、被検知体の近接の判定に用いるしきい値を決定する構成とすることもできる。
また、本発明の別の態様として、前記設定モード開始時から所定時間内に、前記センサから予め定められた強度以上の信号が出力された場合、設定処理が成功したものと判定し、前記センサから予め定められた強度以上の信号が出力されない場合、設定処理が失敗したものと判定する判定部と、前記判定部で判定した設定処理の成功または失敗を通知する通知部とを、さらに備える構成とすることもできる。
【０００９】
また、本発明の別の態様として、前記設定モードと、前記点灯モードとを切替えるスイッチを、さらに備える構成とすることもできる。
また、本発明の別の態様として、前記設定モードにおいて、被検知体の動作をガイドするガイド部を、さらに備える構成とすることもできる。
また、本発明の別の態様として、前記ガイド部は、前記センサに近接して配置され、前記センサにより被検知体を検知することが可能な範囲に向けて可視光を出射する構成とすることもできる。
【００１０】
また、本発明の一態様である照明装置は、光源と、発光素子と受光素子とを有する反射型センサと、記憶部と、設定モードと点灯モードとを選択的に実行可能であって、設定モードでは、設定モード期間中において前記受光素子に受光される光の強度に基づき、前記発光素子から出力される光の強度と前記受光素子に受光される光の強度に関するしきい値との比に関する情報を決定し、当該情報を前記記憶部に記憶させ、点灯モードでは、前記記憶部に記憶されている前記情報と前記センサから出力される信号の強度とを用いて、被検知体の近接の検知を行ない、当該検知結果に基づき前記光源の点消灯動作を制御する制御部とを備える構成とする。
【００１１】
また、本発明の別の態様として、前記制御部は、設定モードにおいて、前記受光素子に受光される光の強度に関するしきい値を固定値とし、前記発光素子から出力される光の強度を可変値とし、前記発光素子から出力される光の強度を変えることで前記情報を決定し、点灯モードにおいて、前記記憶部に記憶されている光の強度で前記発光素子を発光させ、前記受光素子に受光される光の強度が前記しきい値以上である場合、被検知体が近接状態にあると判定し、前記受光素子に受光される光の強度が前記しきい値未満である場合、被検知体が近接状態にないと判定する構成とすることもできる。
【００１２】
また、本発明の別の態様として、前記制御部は、設定モードにおいて、前記発光素子から出力される光の強度を固定値とし、前記受光素子に受光される光の強度に関するしきい値を可変値とし、受光素子に受光される光の強度に関するしきい値を変えることで前記情報を決定し、点灯モードにおいて、前記受光素子に受光される光の強度が前記記憶部に記憶されているしきい値以上である場合、被検知体が近接状態にあると判定し、前記受光素子に受光される光の強度が前記記憶部に記憶されているしきい値未満である場合、被検知体が近接状態にないと判定する構成とすることもできる。
【発明の効果】
【００１３】
本発明の一態様である照明装置によれば、設定モードを有し、設定モード期間中においてセンサから出力される信号の強度に基づき、ユーザの手等の被検知体の近接の判定に用いるしきい値を決定する。センサの出力信号は、ユーザの手等までの距離に応じた強度で出力されるため、ユーザの環境に適した検知範囲を決定することができる。
【図面の簡単な説明】
【００１４】
【図１】本発明の第１の実施の形態にかかる照明装置を取り付けた状態を示す図である。
【図２】本発明の第１の実施の形態にかかる照明装置の斜視図である。
【図３】本発明の第１の実施の形態にかかる照明装置の内部構成を示すブロック図である。
【図４】本発明の第１の実施の形態にかかる照明装置の点灯モードにおける動作の流れを示すフローチャートである。
【図５】本発明の第１の実施の形態にかかる照明装置の設定モードの概要を示す図であって、（ａ）は動作モードの切り替えを示す図であり、（ｂ）は手をかざす動作を示す図であり、（ｃ）は設定完了の通知を示す図である。
【図６】本発明の第１の実施の形態にかかる照明装置の設定モードにおける動作の流れを示すフローチャートである。
【図７】本発明の第２の実施の形態にかかる照明装置の内部構成を示すブロック図である。
【図８】本発明の第２の実施の形態にかかる照明装置の点灯モードにおける動作の流れを示すフローチャートである。
【図９】本発明の第２の実施の形態にかかる照明装置の設定モードにおける動作の流れを示すフローチャートである。
【図１０】変換テーブルの内容例を示す図である。
【図１１】本発明の第３の実施の形態にかかる照明装置の斜視図である。
【図１２】本発明の第３の実施の形態にかかる照明装置の設定モードの概要を示す図であって、（ａ）は動作モードの切り替えを示す図であり、（ｂ）はガイド光の出射を示す図であり、（ｃ）は手をかざす動作を示す図であり、（ｄ）は設定完了の通知を示す図である。
【図１３】本発明の第３の実施の形態にかかる照明装置の設定モードにおける動作の流れを示すフローチャートである。
【図１４】従来例の照明装置を示す図である。
【発明を実施するための形態】
【００１５】
［実施の形態１］
本発明の実施の形態１にかかる照明装置１について、図１から図６を用いて説明する。
図１は、照明装置１を取り付けた状態を示す図である。本図に示すように、本実施の形態１にかかる照明装置１は、所謂流し元灯であって、キッチンカウンタ２の上方に設置される吊戸棚４の下面５に取り付けられ、キッチンカウンタ２の作業面３を照らす。
【００１６】
（外観構成）
図２は、照明装置１の外観構成を示す斜視図である。本図に示すように、照明装置１の外観は略直方体状であり、筐体１０の内部には、発光部２０、センサ３０、スイッチ４０等が収容されている。
発光部２０は、例えば、ＬＥＤ（Ｌｉｇｈｔ  Ｅｍｉｔｔｉｎｇ  Ｄｉｏｄｅ）モジュールである。発光部２０から出射された光は、透光カバー５０で覆われた筐体１０の開口から、外部へ取り出される。
【００１７】
センサ３０は、所謂反射型センサであって、赤外光発光素子３１と赤外光受光素子３２とを有する。
赤外光発光素子３１は、赤外光ＬＥＤ等の発光素子であって、赤外光を出射する。赤外光受光素子３２は、フォトダイオードやフォトトランジスタ等の受光素子であって、赤外光を受光し、受光した赤外光を電気信号に光電変換して出力する。赤外光発光素子３１および赤外光受光素子３２は、筐体１０の天板部１１に設けられた開口から外部に露出している。
【００１８】
赤外光発光素子３１は、主出射方向を鉛直下向きに向けて、配置されている。また、赤外光受光素子３２は、主受光方向を鉛直下向きに向けて、配置されている。ユーザが赤外光発光素子３１の下方に手をかざした場合、赤外光発光素子３１から出射された赤外光が手で反射し、反射光が赤外光受光素子３２で受光される。照明装置１は、この赤外光受光素子３２に流れる電流を検知して、発光部２０の点消灯の切り替えを行なう。
【００１９】
スイッチ４０は、所謂スライドスイッチであって、照明装置１の動作モードを切り替える。図２の右上に拡大して示しているように、スイッチ４０の一面には、「設定モード」「点灯モード」「ＯＦＦ」の３つのモードが印字されている。各モードにつまみを合わせることにより、照明装置１の動作モードが切り替わる。
ここで「設定モード」とは、センサ３０の検知範囲を設定する動作モードをいう。また「点灯モード」とは、ユーザがセンサ３０の下方に手等をかざすことで、発光部２０の点消灯の切り替えを行なうことができる動作モードをいう。また、「ＯＦＦ」とは、発光部２０の点灯を行なわない動作モードをいう。各モードの詳細については後述する。
【００２０】
（内部構成）
図３は、照明装置１の内部構成を示すブロック図である。照明装置１は、図２に示した構成の他に、制御部５０と、検知範囲パラメータ記憶部６０と、点灯回路７０とを備える。
制御部５０は、ＣＰＵ（Ｃｅｎｔｒａｌ  Ｐｒｏｃｅｓｓｉｎｇ  Ｕｎｉｔ）等から構成されるＩＣ（Ｉｎｔｅｇｒａｔｅｄ  Ｃｉｒｃｕｉｔ）チップであって、点消灯制御部５１と検知範囲制御部５２とを備える。
【００２１】
点消灯制御部５１は、スイッチ４０で「点灯モード」が選択された場合において、点灯回路７０の点消灯動作を制御する機能を有する。具体的には、点消灯制御部５１は、センサ３０の赤外光受光素子３２に流れる電流値と、後述する検知範囲パラメータ記憶部６０に記憶される電流値のしきい値とを比較する。赤外光受光素子３２に流れる電流値がしきい値以上である場合、ユーザの手等がセンサ３０の下方で近接状態にあると判定し、発光部２０の点消灯動作の切り替えを行なう旨の制御信号を点灯回路７０に送信する。赤外光受光素子３２に流れる電流値がしきい値未満である場合、ユーザの手等がセンサ３０の下方で近接状態にないと判定し、発光部２０の点消灯動作の切り替えを行なう旨の制御信号を点灯回路７０に送信しない。
【００２２】
検知範囲制御部５２は、スイッチ４０で「設定モード」が選択された場合において、センサ３０の検知範囲を設定する機能を有する。具体的には、検知範囲制御部５２は、設定モード期間中にセンサ３０の赤外光受光素子３２に流れる電流値を用いて、電流値のしきい値を決定する。このしきい値は、点灯モードにおいてユーザの手等が近接状態にあるか否かの判定に用いられる。
【００２３】
検知範囲パラメータ記憶部６０は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性メモリであって、検知範囲制御部５２により決定された電流値のしきい値を記憶する機能を有する。
点灯回路７０は、外部電源から供給される交流を整流平滑する整流平滑回路や整流平滑回路から出力される直流電圧を昇圧または降圧する電圧変換回路等を備えるものである。当該点灯回路７０は、点消灯制御部５１から送信される制御信号に従い、発光部２０に電力の供給／非供給を行なうことで、点消灯の切り替えを行なう。
【００２４】
（動作）
（点灯モードにおける動作）
図４は、点灯モードにおける照明装置１の動作の流れを示すフローチャートである。
本図に示されるように、ユーザがスイッチ４０を操作し、動作モードが点灯モードに切り替わると、点消灯制御部５１は、赤外光発光素子３１を予め定められた所定の電流値で駆動する旨の制御信号をセンサ３０に送信する（ステップＳ１０１）。
【００２５】
ステップＳ１０１の後、センサ３０は、点消灯制御部５１から送信された制御信号に従い、赤外光発光素子３１を駆動し、赤外光を出射する（ステップＳ１０２）。
ステップＳ１０２の後、点消灯制御部５１は、センサ３０の赤外光受光素子３２に流れる電流値と、検知範囲パラメータ記憶部６０に記憶されている電流値のしきい値とを比較する（ステップＳ１０３）。
【００２６】
赤外光受光素子３２に流れる電流値がしきい値以上である場合（ステップＳ１０３、ＹＥＳ）、点消灯制御部５１は、ユーザの手等が近接状態にあると判定し、発光部２０の点消灯動作の切り替えを行なう旨の制御信号を点灯回路７０に送信する（ステップＳ１０４）。
赤外光受光素子３２に流れる電流値がしきい値未満である場合（ステップＳ１０３、ＮＯ）、ステップＳ１０３の処理に戻る。
【００２７】
ステップＳ１０４の後、点灯回路７０は、点消灯制御部５１から送信される制御信号に従い、発光部２０の点消灯の切り替えを行なう（ステップＳ１０５）。
ステップＳ１０５の後、ステップＳ１０３の処理に戻る。
（設定モードにおける動作）
まず、図５を用いて設定モードの概要を説明する。
【００２８】
図５（ａ）に示されるように、ユーザは、スイッチ４０のつまみを「点灯モード」から「設定モード」に合わせる。これにより、照明装置１の動作モードが点灯モードから設定モードに切り替わる。
次に、図５（ｂ）に示されるように、ユーザは、センサ３０の下方における所望の位置に手をかざす。センサ３０の赤外光発光素子３１から出射された赤外光は、ユーザの手で反射し、その反射光がセンサ３０の赤外光受光素子３２で受光される。照明装置１は、センサ３０の赤外光受光素子３２に流れる電流値を用いて、センサ３０の検知範囲を設定する。
【００２９】
そして、図５（ｃ）に示されるように、照明装置１は、センサ３０の検知範囲の設定が完了した場合、設定完了の通知をユーザに対して行なう。本図に示す例では、照明装置１は、発光部２０を点滅させることで設定完了を通知する。
図６は、設定モードにおける照明装置１の動作の流れを示すフローチャートである。
本図に示されるように、ユーザがスイッチ４０を操作し、動作モードが設定モードに切り替わると、検知範囲制御部５２は、赤外光発光素子３１を所定の電流値で駆動する旨の制御信号をセンサ３０に送信する（ステップＳ２０１）。
【００３０】
ステップＳ２０１の後、センサ３０は、検知範囲制御部５２から送信された制御信号に従い、赤外光発光素子３１を駆動し、赤外光を出射する（ステップＳ２０２）。
ステップＳ２０２の後、検知範囲制御部５２は、ステップ２０１の処理を実行してから所定時間経過したか否かを判定する（ステップＳ２０３）。
所定時間経過していない場合（ステップＳ２０３、ＮＯ）、検知範囲制御部５２は、センサ３０の赤外光受光素子３２に流れる電流値が、所定の値以上であるか否かを判定する（ステップＳ２０４）。
【００３１】
赤外光受光素子３２に流れる電流値が所定の値未満である場合（ステップＳ２０４、ＮＯ）、検知範囲制御部５２は、赤外光受光素子３２で受光した赤外光が、ユーザの手で反射した光ではなく、キッチンカウンタ２の作業面３で反射した光や、照明装置１の周囲の赤外光（外乱光）であると判断し、ステップＳ２０２の処理に戻る。
赤外光受光素子３２に流れる電流値が所定の値以上である場合（ステップＳ２０４、ＹＥＳ）、検知範囲制御部５２は、赤外光受光素子３２で受光した赤外光が、ユーザの手で反射した光であると判断する。そして、検知範囲制御部５２は、赤外光受光素子３２に流れる電流値に基づき、点消モードにおいてユーザの手が近接状態にあるか否かの判定に用いられるしきい値を決定する（ステップＳ２０５）。
【００３２】
具体的には、検知範囲制御部５２は、以下の数式を用いてしきい値を決定する。
Ｘ＝Ｘ0−α（α＞０）
上記の数式において、Ｘはしきい値、Ｘ0は赤外光受光素子３２に流れる電流値、αはセンサ３０の検知範囲にマージンを持たせるためのパラメータである。仮に、Ｘ＝Ｘ0としてしきい値を決定した場合、ユーザが設定モードで手をかざした位置よりわずかに下方の位置となるだけで、点消灯の切り替えが行なわれない事態が発生する。
【００３３】
ステップＳ２０５の後、検知範囲制御部５２は、ステップ２０５で決定したしきい値を検知範囲パラメータ記憶部６０に記憶させる（ステップＳ２０６）。
ステップＳ２０６の後、検知範囲制御部５２は、設定完了の通知を行なう（ステップ２０７）。設定完了の通知は、例えば、図５（ｃ）に示したように、発光部２０を点滅させることでおこなう。
【００３４】
ステップＳ２０３において、所定時間経過したと判定された場合（ステップＳ２０３、ＹＥＳ）、検知範囲制御部５２は、設定モード期間中にユーザが手をかざす動作を行なわなかったものと判断し、設定失敗の通知を行なう。（ステップＳ２０８）。設定失敗の通知は、例えば、設定完了の通知における点滅パターンとは異なるパターンで照明を点滅させることで行なう。
【００３５】
ステップＳ２０７またはステップＳ２０８の後、検知範囲制御部５２は、赤外光発光素子３１の駆動を停止する旨の制御信号をセンサ３０に送信する（ステップＳ２０９）。
ステップＳ２０９の後、センサ３０は、検知範囲制御部５２から送信された制御信号に従い、赤外光の出射を停止する（ステップＳ２１０）。
（まとめ）
以上のように、本発明の第１の実施の形態にかかる照明装置は、設定モードを有し、設定モード期間中においてセンサ３０の赤外光受光素子３２に流れる電流値に基づき、しきい値を決定している。そして、点灯モードにおいては、設定モードで決定したしきい値を用いて、点消灯の切り替えを行なっている。赤外光受光素子３２に流れる電流値は、センサ３０からユーザの手までの距離に応じた強度であるため、ユーザの使用環境に適した検知範囲を決定することができる。またユーザは、点灯モードにおける点消灯の切り替え動作と同じ動作でセンサ３０の検知範囲を設定する。このため、ユーザにとって直感的でわかりやすい操作で検知範囲を設定することができ、ユーザ利便性に優れる。
【００３６】
［実施の形態２］
本発明の実施の形態２にかかる照明装置１００について、図７から図９を用いて説明する。照明装置１００は、センサの検知範囲の設定方法が、実施の形態１にかかる照明装置１と異なる。具体的には、照明装置１００では、赤外光発光素子を駆動する電流値を変えることで、センサの検知範囲を設定している。なお、以下の説明では、実施の形態１と共通する構成や処理には同一の符号を付し、説明を省略する。
【００３７】
（構成）
図７は、照明装置１００の内部構成を示すブロック図である。制御部１５０と、検知パラメータ記憶部１６０と、発光部２０と、センサ３０と、スイッチ４０と、点灯回路７０とを備える。制御部１５０と、検知パラメータ記憶部１６０とが、実施の形態１にかかる照明装置１と異なる構成である。
【００３８】
制御部１５０は、点消灯制御部１５１と検知範囲制御部１５２とを備える。
点灯制御部１５１は、点灯モードにおいて、検知範囲パラメータ記憶部１６０に記憶される電流値で、センサ３０の赤外光発光素子３１を駆動する。赤外光発光素子３１から出射される赤外光の光量は、赤外光発光素子３１に流れる電流値に比例する。このため、赤外光発光素子３１に流れる電流値を変えることで、赤外光発光素子３１から出射される赤外光の光量を変えることができ、センサ３０の検知範囲を変えることができる。また、点灯制御部１５１は、赤外光受光素子３２に流れる電流値と、予め定められたしきい値とを比較し、その比較結果に基づき、点灯回路７０の点消灯動作を制御する。
【００３９】
検知範囲制御部１５２は、設定モード期間中にセンサ３０の赤外光受光素子３２に流れる電流値を用いて、点灯モードにおいてセンサ３０の赤外光発光素子３１を駆動する電流値を決定する機能を有する。
検知パラメータ記憶部１６０は、検知範囲制御部１５２により決定された赤外光発光素子３１を駆動する電流値を記憶する機能を有する。
【００４０】
（動作）
図８は、点灯モードにおける照明装置１００の動作の流れを示すフローチャートである。
本図に示されるように、ユーザがスイッチ４０を操作し、動作モードが点灯モードに切り替わると、点消灯制御部１５１は、検知パラメータ記憶部１６０に記憶されている電流値で赤外光発光素子３１を駆動する旨の制御信号をセンサ３０に送信する（ステップＳ３０１）。
【００４１】
ステップＳ３０１の後、センサ３０は、点消灯制御部１５１から送信された制御信号に従い、赤外光発光素子３１を駆動し、赤外光を出射する（ステップＳ３０２）。
ステップＳ３０２の後、点消灯制御部１５１は、センサ３０の赤外光受光素子３２に流れる電流値と、予め定められた所定のしきい値とを比較する（ステップＳ３０３）。
赤外光受光素子３２に流れる電流値がしきい値以上である場合（ステップＳ３０３、ＹＥＳ）、点消灯制御部１５１は、ユーザの手等が近接状態にあると判定し、発光部２０の点消灯動作の切り替えを行なう旨の制御信号を点灯回路７０に送信する（ステップＳ３０４）。
【００４２】
赤外光受光素子３２に流れる電流値がしきい値未満である場合（ステップＳ３０３、ＮＯ）、ステップＳ３０３の処理に戻る。
ステップＳ１０５の処理は、実施の形態１にかかる照明装置１と同じ処理である。
図９は、設定モードにおける照明装置１００の動作の流れを示すフローチャートである。
【００４３】
ステップＳ２０１、Ｓ２０２、Ｓ２０３、Ｓ２０４の各処理は、実施の形態１にかかる照明装置１と同じ処理である。
赤外光受光素子３２に流れる電流値が所定の値以上である場合（ステップＳ２０４、ＹＥＳ）、検知範囲制御部１５２は、赤外光受光素子３２に流れる電流値に基づき、点灯モードにおいて赤外光発光素子３１を駆動する電流値を決定する（ステップＳ４０１）。
【００４４】
具体的には、検知範囲制御部１５２は、変換テーブルを用いて、赤外光発光素子３１を駆動する電流値を決定する。変換テーブルとは、赤外光受光素子３２に流れる電流値Ｙと、赤外光発光素子３１を駆動する電流値Ｚとを予め対応させたテーブルであり、図１０にその内容の一例を示す。本図に示す例では、例えば、赤外光受光素子３２に流れる電流値がＹ0以上Ｙ1未満である場合、赤外光発光素子３１を駆動する電流値をＺ1に決定する。また、例えば、赤外光受光素子３２に流れる電流値がＹ4以上Ｙ5未満である場合、赤外光発光素子３１を駆動する電流値をＺ5に決定する。
【００４５】
ステップＳ４０１の後、検知範囲制御部１５２は、ステップ４０１で決定した電流値を検知範囲パラメータ記憶部１６０に記憶させる（ステップＳ４０２）。
ステップＳ４０２以降の、ステップＳ２０７、ステップＳ２０８、ステップＳ２０９、ステップＳ２１０の各処理は、実施の形態１にかかる照明装置１と同じ処理である。
以上のように、照明装置１００によれば、赤外光発光素子３１を駆動する電流値を変えることで、センサの３０検知範囲を設定することができる。
【００４６】
［実施の形態３］
本発明の実施の形態３にかかる照明装置２００について、図１１から図１２を用いて説明する。照明装置２００は、設定モードにおけるユーザの操作をガイドするガイド手段を備えている点において、実施の形態１に係る照明装置１と異なる。なお、以下の説明では、実施の形態１と共通する構成や処理には同一の符号を付し、説明を省略する。
【００４７】
（構成）
図１１は、照明装置２００の外観構成を示す斜視図である。本図に示すように、照明装置２００は、ガイド光出射部２３３を備える。他の構成は、実施の形態１にかかる照明装置と同じである。
ガイド光出射部２３３は、ＬＥＤ素子等の光源を有し、赤外光発光素子３１に近接して配置されている。当該ガイド光出射部２３３は、設定モードにおいて、赤外光発光素子３１に近接した位置から可視光のガイド光を出射することで、ユーザが手をかざすべき位置を示す役割を果たす。
【００４８】
図１２は、照明装置２００における設定モードの概要を示す図である。
図１２（ａ）に示されるように、照明装置２００の動作モードが設定モードに切り替えられると、図１２（ｂ）に示されるように、ガイド光出射部２３３から可視光のガイド光が出射される。
ユーザは、図１２（ｃ）に示されるように、ガイド光出射部２３３から出射された可視光のガイド光部分に手をかざすことで、センサ３０の検知範囲の設定を行なうことができる。
【００４９】
そして、図１２（ｄ）に示されるように、照明装置２００は、センサ３０の検知範囲の設定処理が完了した場合、ガイド光の出射を停止することにより、ユーザに対して設定処理の完了を通知する。
図１３は、設定モードにおける照明装置２００の動作の流れを示すフローチャートである。
【００５０】
ステップＳ２０１、Ｓ２０２の各処理は、実施の形態１にかかる照明装置１と同じ処理である。
ステップＳ２０２の後、ガイド光出射部２３３は可視光を出射する（ステップＳ５０１）。
ステップＳ２０３、Ｓ２０４、Ｓ２０５、Ｓ２０６の各処理は、実施の形態１にかかる照明装置１と同じ処理である。
【００５１】
ステップＳ２０６の後、ガイド光出射部２３３は、ガイド光の出射を停止することで、設定処理の完了の通知を行なう（ステップＳ５０２）。
ステップＳ２０３において、所定時間経過したと判定された場合（ステップＳ２０３、ＹＥＳ）、ガイド光出射部２３３は、設定処理の失敗の通知を行なう。（ステップＳ５０３）。設定処理の失敗の通知は、例えば、ガイド光を点滅させた後、ガイド光の出射を停止することで通知する。
【００５２】
以上のように、照明装置２００によれば、センサ３０に近接して配置され、センサ３０の検知範囲方向に向けて可視光のガイド光を出射するガイド光出射部２３３を有する。設定モードにおいて手をかざすべき位置が明確となるため、よりユーザにとってわかりやすい操作で検知範囲を設定することができ、照明装置のユーザ利便性を高めることができる。
【００５３】
［変形例］
なお、上記の実施の形態に基づいて説明してきたが、本発明は上記の実施の形態に限定されないことはもちろんである。以下のような場合も本発明に含まれる。
（ａ）上記の実施の形態において、照明装置１が所謂流し元灯である場合を示したが、本発明は必ずしもこの場合に限定されない。センサを備え、センサから出力される検知信号に基づき点消灯動作の制御を行なう照明装置であればよい。
【００５４】
（ｂ）上記の実施の形態において、センサ３０が所謂反射型の赤外光センサである場合を示したが、本発明は必ずしもこの場合に限定されない。センサ３０は、物体の近接を非接触で検出するセンサであればよい。このようなセンサには、例えば、誘導形センサ、静電容量形センサ、超音波形センサ、光電形センサ等がある。また、赤外光ではなく、例えば、可視光を出射し、ユーザの手等の反射体で反射した可視光を受光する反射型のセンサであってもよい。
【００５５】
センサ３０が反射型センサでない場合は、被検知体の近接の判定に用いるしきい値を変更することで、センサ３０の検知範囲を変更することになる。
（ｃ）実施の形態１では、被検知体の近接の判定に用いるしきい値を変更することで、センサ３０の検知範囲を変更した。また、実施の形態２では、センサ３０の赤外光発光素子３１に流れる電流値を変更することで、センサ３０の検知範囲を変更した。すなわち、本発明の一態様にかかる照明装置では、センサ３０の赤外光発光素子３１から出力される光の強度と赤外光受光素子３２に受光される光の強度に関するしきい値との比を変更することにより、センサ３０の検知範囲を変更している。
【００５６】
（ｄ）本発明は、被検知体の近接の判定に用いるしきい値と、センサ３０の赤外光発光素子３１に流れる電流値との両方を変更することにより、センサ３０の検知範囲を変更してもよい。
（ｅ）上記の実施の形態において、制御部５０が赤外光受光素子３２に流れる電流値と電流値に関するしきい値とを比較し、点消灯の切り替えを行なう場合を示したが、本発明は必ずしもこの場合に限定されない。
【００５７】
赤外光受光素子３２に流れる電流を増幅する増幅回路を有し、当該増幅回路で増幅された電流値としきい値とを比較し、点消灯の切り替えを行ってもよい。
（ｆ）上記の実施の形態において、赤外光発光素子３１が、主出射方向を鉛直下向きに向けて配置されている場合を示したが、本発明は必ずしもこの場合に限定されない。赤外光発光素子３１の主出射方向が、鉛直下向き方向に対して角度が設けられている構成としてもよい。これにより、赤外光発光素子３１から出射されキッチンカウンタ２の作業面３で反射した光が、赤外光受光素子３２に入射し難くすることができる。従って、ユーザが手をかざさなくとも、点消灯が勝手に切り替えられるという誤作動をより生じ難くすることができる。
【００５８】
（ｇ）上記の実施の形態で説明した手法の手順を記述したプログラムをメモリに記憶しておき、ＣＰＵなどがメモリからプログラムを読み出して、読み出したプログラムを実行することによって、上記の手法が実現されるようにしてもよい。
（ｈ）上記の実施の形態において、「点灯モード」「設定モード」「ＯＦＦ」の３つの動作モードを有する場合を説明したが、本発明は必ずしもこの場合に限定されない。照明装置は他のモードを有してもよい。例えば、センサ３０および制御部５０による点消灯動作の制御を行わず、発光部２０を常時点灯する「常時点灯モード」を有してもよい。
【００５９】
（ｉ）上記実施の形態においては、照明を点滅させたり、ガイド光の出射を停止することにより、設定処理の成功や失敗の通知を行なったが、本発明は必ずしもこの場合に限定されない。その他の方法により、設定処理の成功や失敗の通知を行ってもよい。また、音声を出力するスピーカーや液晶モニタ等を備え、音声による通知を行なったり、液晶モニタに表示することで通知を行ったりしてもよい。
【００６０】
（ｊ）上記実施の形態及び上記変形例をそれぞれ組み合わせるとしてもよい。
【符号の説明】
【００６１】
１、１００、２００  照明装置
２  キッチンカウンタ
３  作業面
４  吊戸棚
５  下面
１０  筐体
２０  発光部
３０  センサ
３１  赤外光発光素子
３２  赤外光受光素子
４０  スイッチ
５０、１５０  制御部
５１、１５１  点消灯制御部
５２、１５２  検知範囲制御部
６０、１６０  検知範囲パラメータ記憶部
７０  点灯回路
２３３  ガイド光出射部
【図１】
2014199730.tif 000003
【図２】
2014199730.tif 000004
【図３】
2014199730.tif 000005
【図４】
2014199730.tif 000006
【図５】
2014199730.tif 000007
【図６】
2014199730.tif 000008
【図７】
2014199730.tif 000009
【図８】
2014199730.tif 000010
【図９】
2014199730.tif 000011
【図１０】
2014199730.tif 000012
【図１１】
2014199730.tif 000013
【図１２】
2014199730.tif 000014
【図１３】
2014199730.tif 000015
【図１４】
2014199730.tif 000016